(57)【特許請求の範囲】
【請求項１】
動画データを再生する動画再生装置であって、
動画データを入力する動画データ入力手段と、
前記動画データに対する第一チャプタデータを入力する第一チャプタデータ入力手段と、
前記第一チャプタデータ入力手段により入力した第一チャプタデータの有効性を基にして、前記動画データのチャプタを管理するチャプタ管理手段と、
利用者からのスキップ指示を入力するスキップ指定手段と、
前記スキップ指定手段にスキップ指示が入力されたときに、前記チャプタ管理手段で管理するチャプタに基づいて、スキップ位置を取得するスキップ位置取得手段と、
前記動画データ入力手段により動画データを入力し、動画データを再生すると共に、前記スキップ指定手段にスキップ指示が入力されたときに、前記スキップ位置取得手段により取得したスキップ位置と、現在の再生位置を基に、再生位置をスキップさせる再生制御手段と、
前記再生制御手段が再生する動画データの映像または前記動画データのチャプタに関する画像を表示する表示手段と、
を有し、
前記表示手段は、前記再生制御手段により再生可能な動画データを一覧表示すると共に、前記チャプタ管理手段で第一のチャプタデータが有効であると判断した動画データに対して、前記一覧表示上の対応する動画データの項目位置にアイコンを重ね合わせて表示することを特徴とする動画再生装置。
【請求項２】
請求項１に記載の動画再生装置において、
該動画再生装置は、さらに、利用者からの指示に従い、前記動画データ入力手段により入力した動画データを分割する動画データ分割手段と、
を有し、
前記動画データ分割手段は前記動画データを分割した場合に、該当する動画データの第一チャプタデータを無効化することを特徴とする動画再生装置。
【請求項３】
請求項１に記載の動画再生装置において、
前記動画再生装置は、さらに、前記動画データに対して第二のチャプタデータを設定する第二チャプタデータ設定手段と、
を有し、
前記チャプタ管理手段は、前記第一チャプタデータ入力手段により入力した第一チャプタデータあるいは前記第二チャプタデータ設定手段により設定された第二チャプタデータを基にして、前記動画データのチャプタデータを決定することを特徴とする動画再生装置。
【請求項４】
請求項３に記載の動画再生装置において、
前記第二チャプタデータ設定手段は、第二チャプタデータを設定した場合に、前記第一チャプタデータを無効にすることを特徴とする動画再生装置。
【請求項５】
請求項４に記載の動画再生装置において、
前記第二チャプタデータ設定手段は、第二チャプタデータが消去された場合に、前記第一チャプタデータを再度有効にすることを特徴とする動画再生装置。
【請求項６】
請求項４に記載の動画再生装置において、
前記第二チャプタデータ設定手段は、チャプタ設定画面を前記表示手段に表示し、第一チャプタデータが有効である場合には、その旨を示すアイコンを前記表示手段に表示することを特徴とする動画再生装置。
【請求項７】
請求項６に記載の動画再生装置において、
前記第二チャプタデータ設定手段は、前記第二チャプタデータが設定された場合に、第一チャプタデータを無効化し、前記第一チャプタデータが有効である旨を示すアイコンを前記表示手段から消去することを特徴とする動画再生装置。
【請求項８】
請求項１に記載の動画再生装置において、
前記表示手段は、前記動画データの再生開始時に前記第一チャプタデータが有効である場合には、その旨を示すアイコンを表示することを特徴とする動画再生装置。
【請求項９】
請求項１に記載の動画再生装置において、
前記表示手段は、前記スキップ指定手段により利用者からスキップが指定されたときに、前記第一チャプタデータが有効である場合には、前記第一チャプタデータに基づくチャプタ位置を表示することを特徴とする動画再生装置。
【請求項１０】
請求項１に記載の動画再生装置において、
前記動画再生装置は、さらに、動画データのダビング手段と、
を有し、
前記ダビング手段は、動画データを編集せずにコピーあるいはムーブする場合には、前記第一チャプタデータもコピーあるいはムーブすることによって、コピーあるいはムーブした動画データの第一のチャプタデータも有効とし、一方で、動画データを編集してコピーあるいはムーブする場合には、前記第一チャプタデータはコピー及びムーブせずに、コピーあるいはムーブした動画データの第一のチャプタデータを無効とすることを特徴とする動画再生装置。
【請求項１１】
請求項１に記載の動画再生装置において、
前記動画再生装置は、さらに、動画データのダビング手段と、
を有し、
前記ダビング手段は、動画データを編集せずにコピーあるいはムーブする場合には、前記第一チャプタデータもコピーあるいはムーブすることによって、コピーあるいはムーブした動画データの第一のチャプタデータも有効とし、一方で、動画データを編集してコピーあるいはムーブする場合には、前記第一チャプタデータも編集してコピーあるいはムーブすることによって、コピーあるいはムーブした動画データの第一のチャプタデータを有効とすることを特徴とする動画再生装置。
【請求項１２】
請求項１に記載の動画再生装置において、
前記動画再生装置は、さらに、プレイリスト再生指示手段と、
を有し、
前記チャプタ管理手段は、プレイリスト再生指示手段により利用者からプレイリスト再生が指示された場合には、前記プレイリスト再生中は、第一チャプタデータを無視することを特徴とする動画再生装置。
【発明の詳細な説明】
【技術分野】
【０００１】
本発明は、動画データを再生する動画再生装置に関する。
【背景技術】
【０００２】
動画データに対して機械的にあるいは自動的にチャプタ点を設定する方法及び装置としては、例えば、特許文献１及び特許文献２で、CM検出方法により検出したCM区間の終端毎にチャプタ点を設定し、スキップ可能とする装置が紹介されている。
【０００３】
【特許文献１】特開２０００−３５４２２５号公報
【特許文献２】特開２０００−３５４２２３号公報
【発明の開示】
【発明が解決しようとする課題】
【０００４】
しかしながら、上記特許文献１及び特許文献２では、動画データが編集あるいはダビングされた際の機械的あるいは自動的に設定されたチャプタデータの取り扱いについては明記されていない。また、機械的あるいは自動的に設定されたチャプタデータを用いて効果的に動画データを再生可能なユーザインターフェースも明記されていない。さらには、機械的あるいは自動的に設定されたチャプタデータに対して、利用者が設定したチャプタデータがある場合、これらの取り扱いについては言及されていない。
【０００５】
本発明は、これらの課題を解決するものであり、その目的は、動画データが編集あるいはダビングされた際の機械的あるいは自動的に設定されたチャプタデータの効果的な取り扱いについて規定すると共に、当該チャプタデータを用いてより好適に動画データを再生可能なユーザインターフェースを持つ動画再生装置を提供することである。また、機械的あるいは自動的に設定されたチャプタデータに対して、利用者が設定したチャプタデータがある場合でも、これらをより好適に取り扱うことができる動画再生装置を提供することである。
【課題を解決するための手段】
【０００６】
上述の課題を解決するために、本発明の一実施の形態は、例えば、特許請求の範囲に記載するように構成すればよい。
【発明の効果】
【０００７】
本発明によれば、機械的あるいは自動的に設定されたチャプタデータをより好適に取り扱うことが出来る。また、当該チャプタデータを用いてより好適に動画データを再生可能なユーザインターフェースを持つ動画再生装置を提供することが出来る。また、機械的あるいは自動的に設定されたチャプタデータに対して、利用者が設定したチャプタデータがある場合でも、これらをより好適に取り扱うこと可能な動画再生装置を提供することができ、利用者は機械的あるいは自動的に設定されたチャプタデータを使った再生装置を簡単かつ有効に操作可能となる。
【発明を実施するための最良の形態】
【０００８】
以下、本発明にかかる実施例について、図面を参照して説明する。
【実施例１】
【０００９】
図１は、本実施例に係る動画再生装置のハードウェア構成の一例である。
【００１０】
図１に示す通り、本実施例に係る動画再生装置は、中央処理装置１０１と、入力装置１０２と、表示装置１０３と、音声出力装置１０４と、記憶装置１０５と、二次記憶装置１０６を有して構成される。そして、各装置は、バス１０７によって接続され、各装置間で、相互にデータの送受信が可能なように構成されている。
【００１１】
中央処理装置１０１は、マイクロプロセッサを主体に構成されており、記憶装置１０５や二次記憶装置１０６に格納されているプログラムを実行する。また、後述する記憶装置１０５あるいは二次記憶装置１０６に記憶されている動画データを入力したり、ネットワーク経由で動画データを入力する場合には、図示しないLANカード等のネットワークカードから動画データを取得する。
【００１２】
入力装置１０２は、例えばリモコン、あるいはキーボードやマウス等のポインティングデバイスによって実現され、本動画再生装置で再生する動画データを指定することで、利用者が視聴する動画データを指定したり、後述するチャプタ位置に再生位置をスキップ指示可能とする。
【００１３】
表示装置１０３は、例えばディスプレイアダプタと液晶パネルやプロジェクタ等によって実現され、再生データに含まれる映像や利用者が本動画再生装置に対して操作するためのメニュー等の画像を表示する。
【００１４】
音声出力装置１０４は、例えばサウンドカードとスピーカ等によって実現され、再生動画データに含まれる音声を出力する。
【００１５】
記憶装置１０５は、例えばランダムアクセスメモリ(RAM)やリードオンリーメモリ(ROM)等によって実現され、中央処理装置１０１によって実行されるプログラムや本動画再生装置において処理されるデータ、あるいは再生対象の動画データ、あるいは後述する第一チャプタデータや第二チャプタデータ等を格納する。
【００１６】
二次記憶装置１０６は、例えばハードディスクやDVDあるいはCDとそれらのドライブ、あるいはフラッシュメモリ等の不揮発性メモリやiVDR等のリムーバブルハードディスク等により構成され、中央処理装置１０１によって実行されるプログラムや本動画再生装置において処理されるデータ、あるいは再生対象の動画データ、あるいは後述する第一チャプタデータや第二チャプタデータ等を格納する。
【００１７】
図２は、本実施例に係る動画再生装置の機能ブロック図である。これらの機能ブロックの一部あるいは全部は、図２で示したハードウェアに加えて、ハードウェアとして実現されてもよいが、中央処理装置１０１によって実行されるソフトウェアプログラムとして実現されてもよい。なお、以下では、一例として、これらの機能ブロックの全てが中央処理装置１０１によって実行されるソフトウェアプログラムであるものとして説明する。
【００１８】
図２に示す通り、本発明の動画再生装置は、動画データ入力部２０１と、第一チャプタデータ入力部２０２と、チャプタ管理部２０３と、スキップ指定部２０４と、スキップ位置取得部２０５と、再生制御部２０６と、音声出力部２０７と、表示部２０８と、制御部２０９を有して構成される。また、必要に応じて、動画データ分割部２１０と、第二チャプタデータ設定部２１１と、ダビング部２１２と、プレイリスト再生指示部２１３を有して構成する。
【００１９】
以下、図２における各構成要素について説明する。
【００２０】
動画データ入力部２０１は、記憶装置１０５あるいは二次記憶装置１０６から、あるいはLANカード経由で動画データを入力する。
【００２１】
第一チャプタデータ入力部２０２は、後述の制御部２０９で選択された再生すべき動画データに対応する第一チャプタデータを、記憶装置１０５あるいは二次記憶装置１０６から、あるいはLANカード経由でネットワークから入力する。これは、例えば、制御部２０９で選択された再生すべき動画データと同じファイル名で予め決められた拡張子がことなるデータを記憶装置１０５あるいは二次記憶装置１０６から、あるいはLANカード経由でネットワークから取得することによって実現できる。なお、第一チャプタデータは、利用者が別途設定したチャプタデータでも良いし、本装置の外部で別途設定されたチャプタデータでも良いが、便宜上、本装置あるいは他の装置で機械的あるいは自動的に設定されたチャプタデータとする。なお、機械的あるいは自動的にチャプタを設定する方法及び装置については、例えばCMを検出し、CM区間の終端にチャプタを設定するなど、公知の技術を適用可能である。ここで、第一チャプタデータは、例えば図３に示すデータ構造となっている。
【００２２】
図３は、第一チャプタデータのデータ構造の一例である。
【００２３】
図３において、３０１はチャプタ番号であり、チャプタに対してシーケンシャルにつけられた番号あるいは数値とする。また、３０２はチャプタ位置であり、動画データ中の当該チャプタの時刻とする。また、３１１ないし３１３はそれぞれ１つのチャプタを表しており、この例では３つのチャプタがあることを示している。なお、本説明では、チャプタ番号３０１をチャプタに対してシーケンシャルにつけられた数値としているが、その限りではなく、チャプタに対して固有のID値としてもよい。また、本チャプタ番号３０１は必ずしも必要はないので、消去することも可能である。また、本説明では、チャプタ位置を“動画データ内の時刻”として説明しているが、その限りではなく、例えば“動画データ内の映像フレーム番号”等としてもよく、動画データ内の位置を示すものであれば、何でもよい。
【００２４】
さて、図２の説明に戻り、チャプタ管理部２０３は、後述する第二チャプタデータ設定部２１１で設定された第二チャプタデータと前述の第一チャプタデータ入力手段により入力した第一チャプタデータを基にして、前記動画データのチャプタを管理する。なお、本チャプタ管理部２０３の処理内容の詳細については後述する。
【００２５】
スキップ指定部２０４は、入力装置１０２を介して、利用者が現在再生中の動画データにおいて次のチャプタまでスキップするように後述の再生制御部２０６に指示する。
【００２６】
スキップ位置取得部２０５は、スキップ指定部２０４によりスキップが指定されたときに、チャプタ管理部２０３で管理したチャプタに基づいて、スキップ位置を取得する。特に、後述する再生制御部２０６から、現在の再生動画データにおける現在の再生位置を入力し、その現在の再生位置とチャプタ管理部２０３で管理したチャプタデータから次のチャプタ位置を取得し、当該次のチャプタ位置を再生制御部２０６に通知する。これは、チャプタ管理部２０３で管理したチャプタデータに列挙された各チャプタ位置と、再生制御部２０６から入力した現在の再生位置を比較し、現在の再生位置よりも時間的に後で、かつ一番時間的に早いチャプタ位置を取得し、当該チャプタ位置を再生制御部２０６に通知することで実現できる。
【００２７】
再生制御部２０６は、後述の制御部２０９で選択された再生すべき動画データを動画データ入力部２０１より入力し、再生画像及び再生音声を生成して後述の表示部２０８および後述の音声出力部２０７に出力する。このとき、本再生制御部２０６は、動画データの再生時に前記第一チャプタデータが有効である場合には、その旨を示すアイコンを前記表示手段に表示する。また、再生時にスキップ指定部２０４からスキップが指示された場合には、現在の再生位置を求め、スキップ位置取得部２０５に通知して、当該スキップ位置取得部２０５から次のチャプタ位置を取得して、当該次のチャプタ位置にジャンプして再生を継続する。このとき、前記スキップ指定手段により利用者からスキップが指定されたときに、前記第一チャプタデータが有効である場合には、該第一チャプタデータに基づくチャプタ位置を前記表示手段に表示する。なお、本再生制御部２０６における処理内容及び表示画面については後で詳しく述べる。
【００２８】
音声出力部２０７は、再生制御部２０６による再生音声を音声出力装置１０４に出力する。
【００２９】
表示部２０８は、再生制御部２０６による再生映像を表示装置１０３に表示する。また、後述する制御部２０９により、利用者が再生動画を選択するためのメニュー画像を表示する。
【００３０】
制御部２０９は、本動画再生装置において、入力装置１０２を介して、利用者から動画データの再生が指示された場合に起動し、動画データ入力部２０１によって入力可能な動画データで再生制御部２０６により再生可能な動画データを表示部２０８にメニュー画像として一覧表示する。このとき、チャプタ管理部２０３で第一のチャプタデータが有効であると判断した動画データに対して、前記一覧表示上の対応する動画データの項目位置にアイコンを重ね合わせて表示する。また、利用者により再生すべき動画データが指定されると、当該動画データを再生制御部２０６及び第一チャプタデータ入力部２０２に通知し、それぞれ再生すべき動画データ及び当該再生すべき動画データに対応する第一チャプタデータを取得できるようにする。なお、本制御部２０９の処理内容及び本制御部２０９で表示されるメニュー画像の一例については後で詳述する。
【００３１】
動画データ分割部２１０は、利用者からの指示に従い、動画データを分割する。これは、例えば、動画データ入力部２０１により入力した動画データを前記再生制御部２０６で再生中に、利用者から入力装置１０２を介して分割指示が与えられた場合に、当該動画データの再生開始位置、分割指示が与えられた位置までを別の動画データとして記憶装置１０５あるいは二次記憶装置１０６に保存し、当該動画データの分割指示が与えられた位置から再生終了位置までをさらに別の動画データとして記憶装置１０５あるいは二次記憶装置１０６に保存することによって実現できる。なお、本動画データ分割部２１１は、動画データを分割した場合に、対応する第一チャプタデータを無効化するように構成しても良い。これは、例えば、分割した動画データのファイル名と同名で予め決められた拡張子のファイルである第一チャプタデータを記憶装置１０５あるいは二次記憶装置１０６から、あるいはLANカード経由で探し出し、予め決められた拡張子のファイル名に変更することによって実現できる。
【００３２】
第二チャプタデータ設定部２１１は、利用者からの指示に従い、動画データ入力部２０１により入力した動画データに対して第二チャプタデータを設定する。これは、例えば、制御部２０９で表示されたメニュー画面において、利用者が入力装置１０２により指定した動画データの第二チャプタデータ設定を指示した場合に実行されるように構成されれば良い。
【００３３】
さて、第二チャプタデータ設定部２１１が実行されると、当該第二チャプタデータ設定部２１１は、図４に示すチャプタ設定画面を前記表示手段に表示する。
【００３４】
図４は、チャプタ設定画面の一例である。図４において、４０１はチャプタ設定画面の表示画面、４０２は動画表示エリア、４０３は再生位置やチャプタ位置を表示する走行バー、４０４はメッセージエリア、４０５はアイコン表示エリアである。本画面において、利用者は入力装置１０２を操作することによって、動画データを再生あるいはコマ送り再生しつつ、入力装置１０２によってチャプタ設定指示を与えることによって第二チャプタを設定することが出来る。これは、例えば、動画表示エリア４０２に表示されている画像及び走行バー４０３を見つつ、気に入ったところで、入力装置１０２によってチャプタ設定指示を打つことにより、動画データ上のチャプタ位置の時刻を基に第二チャプタデータを生成すればよい。なお、本第二チャプタデータ設定部２１１が実行され、本チャプタ設定画面４０１が表示された際、対象動画データの第一チャプタデータが有効であるか否かを判断し、有効である場合には、その旨を示すアイコンをアイコン表示エリア４０５に表示されるように構成すると良い。なお、第一チャプタデータが有効か否かは、例えば、動画データと同一のファイル名であらかじめ決められた第一チャプタデータ用の拡張子を持つ第一チャプタデータのファイルを記憶装置１０５あるいは二次記憶装置１０６から探し出し見つかった場合に有効と判断し、見つからなかった場合に無効と判断すればよい。また、当該第一チャプタデータが有効であると判断した場合には、合わせてメッセージエリア４０４に、第一チャプタデータが有効であることを示すメッセージを表示すると良い。なお、本第二チャプタデータ設定部２１１で設定されることによって生成される第二チャプタデータのデータ構造は、先に示した第一チャプタデータと同様にすればよいが、第一チャプタデータとは別に記憶装置１０５あるいは二次記憶装置１０６に保持する。これは、例えば、記憶装置１０５あるいは二次記憶装置１０６に保持される第二チャプタデータは動画データと同じファイル名で動画データや第一チャプタデータとは異なる予め決められた拡張子とすればよい。また、本第二チャプタデータ設定部２１１により第二チャプタデータが設定された場合には、本第二チャプタデータ設定部２１１が対応する動画データの第一チャプタデータを無効化するように構成しても良い。これは、例えば、生成した第二チャプタデータと同一のファイル名であらかじめ決められた第一チャプタデータ用の拡張子を持つ第一チャプタデータのファイルを記憶装置１０５あるいは二次記憶装置１０６から探し出し、予め決められた拡張子に変更して、記憶装置１０５あるいは二次記憶装置１０６に格納しなおすことによって実現できる。この場合、第二チャプタデータ設定部２１１は、アイコン表示エリア４０５に、第二チャプタデータが有効となったことを示すアイコンを表示すると共に、第一チャプタデータが無効となったことを示すアイコンを表示すると良い。あるいは第一チャプタデータが有効である旨を示すアイコンを消去するように構成すると良い。また、このように構成する場合、本第二チャプタデータ設定部２１１が実行され、本チャプタ設定画面４０１が表示された際、対象動画データの第一チャプタデータが有効であるか否かを判断し、有効である場合には、第二チャプタを設定することによって第一チャプタが無効になることを示すメッセージをメッセージエリア４０４に表示するように構成しても良い。さらに、本第二チャプタデータ設定部２１１が第一チャプタデータを無効化した場合には、本第二チャプタデータ設定部２１１により設定された第二チャプタデータが消去された場合に、前記第一チャプタデータを再度有効にするように構成しても良い。これは、例えば、変更されている第一チャプタデータのファイルの拡張子を基に戻すことによって実現できる。このとき、第二チャプタデータ設定部２１１は、アイコン表示エリア４０５に、第二チャプタデータが無効となったことを示すアイコンを表示するか、第二チャプタデータが有効であることを示すアイコンを消去すると共に、第一チャプタデータが有効となったことを示すアイコンを表示すると良い。あるいは第一チャプタデータが無効である旨を示すアイコンを消去するように構成しても良い。
【００３５】
さて、図２の説明に戻り、ダビング部２１２は、利用者からの指示に従い、指定された動画データを記憶装置１０５あるいは二次記憶装置１０６にコピーあるいはムーブする。これは、例えば、制御部２０９で表示されたメニュー画面において、利用者が入力装置１０２により指定した動画データのダビングを指示した場合に実行されるように構成されれば良い。このとき、本ダビング部２１２は、動画データを編集せずにコピーあるいはムーブする場合には、チャプタ管理部２０３で管理される第一チャプタデータもコピーあるいはムーブすることによって、コピーあるいはムーブした動画データの第一のチャプタデータも有効とし、一方で、動画データを編集してコピーあるいはムーブする場合、すなわち例えば再エンコードされる場合等には、前記第一チャプタデータはコピー及びムーブせずに、コピーあるいはムーブした動画データの第一のチャプタデータを無効とするように構成する。または、動画データを編集してコピーあるいはムーブする場合には、第一チャプタデータもそれに合わせて編集してコピーあるいはムーブすることによって、コピーあるいはムーブした動画データの第一のチャプタデータを有効とするように構成する。これは、例えば動画データを再エンコードする場合には、再エンコードした動画データの時刻情報に合わせて、第一チャプタデータにおける各チャプタの時刻情報を設定しなおして、当該エンコードした動画データと共に第一チャプタデータもコピーあるいはムーブすることによって実現できる。
【００３６】
プレイリスト再生指示部２１３は、利用者からの指示に従い、指定された複数の動画データのシーンを指定して再生するように指示する。これは、例えば、制御部２０９で表示されたメニュー画面において、利用者が入力装置１０２により1つ以上の動画データとそれらの動画データに対して１つ以上のシーンをそれぞれ指定して再生する場合に、再生成制御部２０６に対してプレイリスト再生指示部がなされたものとすることが出来る。この場合、再生制御部２０６は、プレイリスト再生指示部２１３により指定された各動画データの各シーンを再生し、当該再生中は、チャプタ管理部２０３において、第一チャプタデータを無視することで、第一チャプタデータが一時的に無効となるように構成する。
【００３７】
次に、本発明のチャプタ管理部２０３の処理内容を詳述する。
【００３８】
前述したとおり、チャプタ管理部２０３は、前記動画データのチャプタを管理する。具体的には、本チャプタ管理部２０３は、スキップ位置取得部２０５からの問い合わせに対し、再生動画データのチャプタデータを決定する。これは、前記第一チャプタデータ入力部２０２により入力した第一チャプタデータのみしかない場合には、第一チャプタデータのみを使用してスキップ位置取得部２０５がスキップ位置を取得するように構成する。あるいは第二チャプタデータ設定部２１１により設定された第二チャプタデータのみしかない場合あるいは第一チャプタデータが無効の場合には、第二チャプタデータのみを使用してスキップ位置取得部２０５がスキップ位置を取得するように構成する。あるいは、前記第一チャプタデータと第二チャプタデータの両方がある場合には、第一チャプタデータと第二チャプタデータをマージして、新たなチャプタデータを生成し、この新たなチャプタデータを使用してスキップ位置取得部２０５がスキップ位置を取得するように構成してもよい。あるいは、前記第一チャプタデータと第二チャプタデータの両方がある場合には、利用者が第一チャプタデータと第二チャプタデータのどちらかあるいは両方を選択できるようにしてもよい。なお、当該第一チャプタデータがあるか否かの判断は、前記第一チャプタデータ入力部２０２で第一チャプタデータを入力できたか否かを判断することによって実現できる。また、当該第二チャプタデータがあるか否かの判断、並びに当該第二チャプタデータの取得は、再生対象の動画データと同じファイル名で当該動画データや第一チャプタデータとは異なる第二チャプタデータ用に予め決められた拡張子のファイルが記憶装置１０５あるいは二次記憶装置１０６に保持されているか否かを判断すること、並びに当該ファイルを読み込むことによって実現できる。以上のチャプタ管理部２０３の処理により、第一チャプタデータ（例えば、機械的につけられたチャプタデータ）と第二チャプタデータ（例えば、利用者が設定したチャプタデータ）をより好適に活用可能となる。
【００３９】
次に、本発明の制御部２０３の処理内容を詳述する。
【００４０】
前述したとおり、制御部２０９は、本動画再生装置において、入力装置１０２を介して、利用者から動画データの再生が指示された場合に起動し、動画データ入力部２０１によって入力可能な動画データで再生制御部２０６により再生可能な動画データを表示部２０８にメニュー画像として一覧表示する。
【００４１】
図５は、本制御部２０３において、表示部２０８に表示されるメニュー画像の一例である。
【００４２】
図５において、５０１はメニュー画面、５１１ないし５１４は個々の動画データ、５２１はアイコン表示エリア、５２２はタイトル表示エリアであり、５３１は、第一チャプタデータが有効であることを示すアイコンである。
【００４３】
制御部２０９は、動画データ入力部２０１によって入力可能な動画データで再生制御部２０６により再生可能な動画データのタイトル名を５２２に表示しつつ、５１１ないし５１４に表示する。このとき、５１１ないし５１４に表示したそれぞれの動画データに対して、チャプタ管理部２０３で第一のチャプタデータが有効であると判断した動画データに対して、前記一覧表示上の対応する動画データの項目位置にアイコン５３１を重ね合わせて表示する。そして、利用者により再生すべき動画データが指定されると、当該動画データを再生制御部２０６及び第一チャプタデータ入力部２０２に通知し、それぞれ再生制御部２０６及び第一チャプタデータ入力部２０２において、再生すべき動画データ及び当該再生すべき動画データに対応する第一チャプタデータが取得されるように構成する。なお、利用者による再生すべき動画データの指定は、例えば、入力装置１０２の操作により選択されている動画データのタイトル名などが強調表示されるように構成すると共に、例えば入力装置１０２がリモコンの場合には上下ボタンなどにより、選択されている動画データを変更可能なように構成し、決定ボタンなどにより、強調表示された動画データの選択決定指示がされた場合に再生すべき動画データが指定されるように構成すれば良い。また、動画データが選択されている状態で、例えば入力装置１０２がリモコンの場合には、分割ボタン、ダビングボタン、第二チャプタ設定ボタンが利用者から押された場合に、それぞれ、前述の動画データ分割部２１０、ダビング部２１２、第二チャプタデータ設定部２１１が起動されるように構成すれば良い。
【００４４】
最後に、本発明の再生制御部２０６の処理内容を詳述する。
【００４５】
前述したとおり、再生制御部２０６は、後述の制御部２０９で選択された再生すべき動画データを動画データ入力部２０１より入力し、再生画像及び再生音声を生成して表示部２０８および音声出力部２０７に出力する。このとき、本再生制御部２０６は、動画データの再生開始時にこの再生動画データに対応する第一チャプタデータが有効である場合には、その旨を示すアイコンを一定時間、前記表示手段に表示する。
【００４６】
図６は、本再生制御部２０６によって、動画データの再生開始時に表示される表示画面の一例を示す図である。
【００４７】
図６において、６０１は表示画面であり、表示装置１０３上に表示される画面である。また、６０２は再生動画表示エリアであり、再生された動画データの画像が表示されるエリアである。また、６０３は再生位置表示エリアであり、現在の再生位置を表示するエリアである。これは、例えば、動画データ内での現在の再生時間を、例えば00:00:00形式表示すればよい。また、６０４は走行バーであり、現在の再生位置及びチャプタ位置をグラフィカルに表示する。これは、例えば、再生動画データに対応する第一チャプタデータが有効である場合には、当該第一チャプタデータの各チャプタ位置（時刻）と動画データ内での現在の再生時間とを、走行バーの長さを動画データの時間として、対応する位置にマークをつけることによって実現すればよい。なお、図６においては、６４１及び６４２がチャプタ位置、６５１が現在の再生位置を示している。また６０５は、再生終了位置表示エリアであり、再生終了時刻を表示するエリアである。これは、例えば、動画データの再生終了時間を、例えば00:00:00形式表示すればよい。また、６０６はこの再生動画データに対応する第一チャプタデータが有効である場合に表示されるアイコンである。なお、これらの再生位置表示エリア６０３、走行バー６０４、チャプタ位置６４１及び６４２、現在の再生位置６５１、再生終了位置表示エリア６０５、アイコン６０６は、動画データの再生中、常に表示画面６０１にオーバーレイして表示されるように構成すると良いが再生開始後一定時間表示した後に消去されるように構成しても良い。なお、再生動画データに対応する第一チャプタデータが有効であるか否かは、チャプタ管理部２０３によって、第一チャプタデータ入力部において、再生動画データの第一チャプタデータが入力できたかどうかを判断することによって実現できる。
【００４８】
さて、再生制御部２０６は、動画データの再生時にスキップ指定部２０４からスキップが指示された場合には、現在の再生位置を求め、スキップ位置取得部２０５から次のチャプタ位置を取得して、当該次のチャプタ位置にジャンプして再生を継続する。このとき、前記スキップ指定手段により利用者からスキップが指定されたときに、前記第一チャプタデータが有効である場合には、該第一チャプタデータに基づくチャプタ位置を前記表示手段に表示する。これは、例えば、図６における、再生位置表示エリア６０３、走行バー６０４、チャプタ位置６４１及び６４２、現在の再生位置６５１、再生終了位置表示エリア６０５を一定時間表示することによって実現できる。
【００４９】
以上により、本発明の動画再生装置では、機械的あるいは自動的に設定されたチャプタデータ（第一チャプタデータ）をより好適に取り扱うことが出来ると共に、当該チャプタデータを用いてより好適に動画データを再生可能なユーザインターフェースを持つ動画再生装置を提供することが出来る。また、機械的あるいは自動的に設定されたチャプタデータ（第一チャプタデータ）に対して、利用者が設定したチャプタデータ（第二チャプタデータ）がある場合でも、これらをより好適に取り扱うこと可能な動画再生装置を提供することができ、利用者は機械的あるいは自動的に設定されたチャプタデータ（第一チャプタデータ）を使った再生装置を快適かつ有効に操作可能となる。なお、本実施例では、便宜上、第一チャプタデータと第二チャプタデータがそれぞれ１つずつある例を示したが、これらが複数ある場合には、利用者がそれぞれ１つずつに選択する、あるいは、それぞれ1つずつにマージする、あるいは、全てのチャプタデータをマージして第一チャプタデータとして取り扱うなどすればよい。
【図面の簡単な説明】
【００５０】
【図１】本実施例に係る動画再生装置のハードウェア構成の一例である。
【図２】本実施例に係る動画再生装置の機能ブロック図である。
【図３】本実施例に係る第一及び第二チャプタデータのデータ構造の一例である。
【図４】本実施例に係るチャプタ設定画面の一例である。
【図５】本実施例の制御部において、表示部に表示されるメニュー画像の一例である。
【図６】本実施例の再生制御部によって、動画データの再生開始時に表示される表示画面の一例である。
【符号の説明】
【００５１】
１０１・・・中央処理装置、１０２・・・入力装置、１０３・・・表示装置、１０４・・・音声出力装置、１０５・・・記憶装置、１０６・・・二次記憶装置、１０７・・・バス、２０１・・・動画データ入力部、２０２・・・第一チャプタデータ入力部、２０３・・・チャプタ管理部、２０４・・・スキップ指定部、２０５・・・スキップ位置取得部、２０６・・・再生制御部、２０７・・・音声出力部、２０８・・・表示部、２０９・・・制御部、２１０・・・動画データ分割部、２１１・・・第二チャプタデータ設定部、２１２・・・ダビング部、２１３・・・プレイリスト再生指示部
【図１】
0004871839.tif 000002
【図２】
0004871839.tif 000003
【図３】
0004871839.tif 000004
【図４】
0004871839.tif 000005
【図５】
0004871839.tif 000006
【図６】
0004871839.tif 000007